(57)【要約】  回路基板に静電気の抑制回路を設けなくても、挿入口の側から侵入した静電気の影響を抑制することのできるカードリーダを提供することを目的に、カードリーダ（１００）においては、第１フレーム（１）を導電性とし、第２フレーム（２）を絶縁性とするとともに、第２フレーム（２）には、挿入口（２１）と第２回路基板（４）との間に、第１フレーム（１）に接する導電板（９）が固定されている。挿入口（２１）は絶縁性のベゼル（２１０）に形成されており、導電板（９）はベゼル（２１０）を介して第２フレーム（２）に固定されている。導電板（９）の接点部（９５）は、第１フレーム（１）と第２フレーム（２）とが重なった際に第２フレーム（２）と係合する第１フレーム（１）の係合部（１７）に弾性をもって接する。カード（Ｃ）を挿入する際、手から放電された静電気を、導電板（９）を介して第１フレーム（１）を介して逃がすことができる。
2018003794.tif 000002
【特許請求の範囲】
【請求項１】
第１フレームと、
前記第１フレームと重ねて配置され、回路基板を保持する第２フレームと、
前記第２フレームの一方側の端部に設けられ、カード状の媒体が挿入される挿入口と、
前記挿入口から前記第１フレームと前記第２フレームとの間を通って延在し、前記挿入口から挿入された前記媒体が通過する媒体通路と、
前記媒体通路に位置する前記媒体との間で通信を行う通信装置と、
を有し、
前記第１フレームは、導電性であり、
前記第２フレームは、絶縁性であり、
前記第１フレームおよび前記第２フレームのうちの一方のフレームには、前記挿入口と前記回路基板との間に配置された導電板が固定され、
前記導電板は、前記第１フレームに接していることを特徴とするカードリーダ。
【請求項２】
前記挿入口は、前記一方のフレームの前記挿入口側の端部に固定された絶縁性のベゼルに形成され、
前記導電板は、前記ベゼルを介して前記一方のフレームに固定されていることを特徴とする請求項１に記載のカードリーダ。
【請求項３】
前記一方のフレームは、前記第２フレームであることを特徴とする請求項１または２に記載のカードリーダ。
【請求項４】
前記導電板は、前記第１フレームと前記第２フレームとが重なった際に前記第１フレームに接する接点部を備えていることを特徴とする請求項３に記載のカードリーダ。
【請求項５】
前記接点部は、前記第１フレームと前記第２フレームとが重なった際に弾性をもって前記第１フレームに接することを特徴とする請求項４に記載のカードリーダ。
【請求項６】
前記第１フレームには係合部が構成され、
前記第２フレームには、前記係合部が係合して前記第１フレームと前記第２フレームとが重なった状態を維持する被係合部が構成され、
前記接点部は、前記第１フレームと前記第２フレームとが重なった際に前記係合部に弾性をもって接することを特徴とする請求項５に記載のカードリーダ。
【請求項７】
前記係合部は、前記第２フレームに向けて柱状に突出した凸部からなり、
前記接点部は、前記凸部の側面に弾性をもって接することを特徴とする請求項６に記載のカードリーダ。
【請求項８】
前記一方のフレームは、前記第１フレームであることを特徴とする請求項１または２に記載のカードリーダ。
【請求項９】
前記第１フレームと前記第２フレームとの間には、前記第２フレームを前記第１フレームに対して揺動可能に支持するヒンジ機構が構成されていることを特徴とする請求項１または２に記載のカードリーダ。
【請求項１０】
前記回路基板には、電源回路と、前記媒体との間で行う通信の制御を行う制御回路と、前記回路基板の前記挿入口側の端部に搭載された発光素子と、前記発光素子を駆動する駆動回路と、が設けられていることを特徴と請求項１または２に記載のカードリーダ。
【発明の詳細な説明】
【技術分野】
【０００１】
本発明は、カード状の媒体との間で情報の記録または再生を行うカードリーダに関するものである。
【背景技術】
【０００２】
カード状の媒体との間で情報の記録または再生を行うカードリーダでは、フレームの内側に、カード状の媒体（カード）が挿入される挿入口から延在する媒体通路が設けられている。また、フレームの内側には、媒体通路に沿うように回路基板が設けられており、回路基板には、カードとの間で行う通信の制御を行う制御回路等が設けられている。ここで、挿入口は金属製のベゼルによって構成されているが、フレームは、絶縁性の樹脂によって構成されていることが多い。このため、カードを挿入する際、手から放電された静電気が回路基板に侵入するおそれがある。そこで、回路基板に静電気の抑制回路を設けることが提案されている（特許文献１参照）。
【先行技術文献】
【特許文献】
【０００３】
【特許文献１】特開２０１５−１９７９４２号公報
【発明の概要】
【発明が解決しようとする課題】
【０００４】
カードリーダにおいて、制御回路が正常に動作していることを報知する発光素子やその駆動回路等を回路基板に設けた場合、回路基板に静電気の抑制回路を設けるスペースを確保できない等の問題点がある。特に発光素子は、回路基板の挿入口側の端部に設けられるため、回路基板の挿入口側の端部に静電気抑制用のパターンを設けることが困難となる。【０００５】
以上の問題点に鑑みて、本発明の課題は、回路基板に静電気の抑制回路を設けなくても、挿入口の側から侵入した静電気の影響を抑制することのできるカードリーダを提供することにある。
【課題を解決するための手段】
【０００６】
上記課題を解決するために、本発明に係るカードリーダは、第１フレームと、前記第１フレームと重ねて配置され、回路基板を保持する第２フレームと、前記第２フレームの一方側の端部に設けられ、カード状の媒体が挿入される挿入口と、前記挿入口から前記第１フレームと前記第２フレームとの間を通って延在し、前記挿入口から挿入された前記媒体が通過する媒体通路と、前記媒体通路に位置する前記媒体との間で通信を行う通信装置と、を有し、前記第１フレームは、導電性であり、前記第２フレームは、絶縁性であり、前記第１フレームおよび前記第２フレームのうちの一方のフレームには、前記挿入口と前記回路基板との間に配置された導電板が固定され、前記導電板は、前記第１フレームに接していることを特徴とする。【０００７】
本発明に係るカードリーダにおいて、第１フレームおよび第２フレームのうちの一方のフレームには、挿入口と回路基板との間に配置された導電板が固定され、導電板は導電性の第１フレームに接している。このため、媒体を挿入する際、手から放電された静電気を、導電板を介して第１フレームを介して逃がすことができる。従って、回路基板に静電気の抑制回路を設けなくても、挿入口の側から侵入した静電気が回路基板に侵入することを抑制することができるので、静電気の影響を抑制することができる。また、第１フレームおよび第２フレームのうち、第１フレームのみを導電性とすればよいため、コストの低減を図ることができる。【０００８】
本発明において、前記挿入口は、前記一方のフレームの前記挿入口側の端部に固定された絶縁性のベゼルに形成され、前記導電板は、前記ベゼルを介して前記一方のフレームに固定されている態様を採用することができる。【０００９】
本発明において、前記一方のフレームは、前記第２フレームである態様を採用することができる。かかる態様のカードリーダでは、第２フレームに、挿入口と回路基板との間に配置された導電板が固定され、導電板は導電性の第１フレームに接している。このため、媒体を挿入する際、手から放電された静電気を、導電板および第１フレームを介して逃がすことができる。従って、回路基板に静電気の抑制回路を設けなくても、挿入口の側から侵入した静電気が回路基板に侵入することを抑制することができるので、静電気の影響を抑制することができる。また、第１フレームおよび第２フレームのうち、第１フレームのみを導電性とすればよいため、コストの低減を図ることができる。【００１０】
本発明において、前記導電板は、前記第１フレームと前記第２フレームとが重なった際に前記第１フレームに接する態様を採用することができる。かかる態様によれば、第２フレームに設けた導電板を第１フレームに固定しておく必要がないので、メンテンス等の行う際、第１フレームと第２フレームとを容易に離間させることができる。それ故、メンテンス等が容易である。【００１１】
本発明において、前記接点部は、前記第１フレームと前記第２フレームとが重なった際に弾性をもって前記第１フレームに接する態様を採用することができる。かかる態様によれば、導電板を第１フレームに確実に接する状態とすることができる。【００１２】
本発明において、前記第１フレームには係合部が構成され、前記第２フレームには、前記係合部が係合して前記第１フレームと前記第２フレームとが重なった状態を維持する被係合部が構成され、前記接点部は、前記第１フレームと前記第２フレームとが重なった際に前記係合部に弾性をもって接する態様を採用することができる。かかる態様によれば、第１フレームと第２フレームとが重なった状態を維持する係合部で導電板が第１フレームに接する。このため、導電板を第１フレームに確実に接する状態とすることができる。【００１３】
本発明において、前記係合部は、前記第２フレームに向けて柱状に突出した凸部からなり、前記接点部は、前記凸部の側面に弾性をもって接する態様を採用することができる。かかる態様によれば、係合部と被係合部との間に遊びがあっても、導電板を第１フレームに確実に接する状態とすることができる。【００１４】
本発明において、前記一方のフレームは、前記第１フレームである態様を採用してもよい。かかる態様のカードリーダでは、第１フレームに、挿入口と回路基板との間に配置された導電板が固定され、導電板は導電性の第１フレームに接している。このため、媒体を挿入する際、手から放電された静電気を、導電板および第１フレームを介して逃がすことができる。従って、回路基板に静電気の抑制回路を設けなくても、挿入口の側から侵入した静電気が回路基板に侵入することを抑制することができるので、静電気の影響を抑制することができる。また、第１フレームおよび第２フレームのうち、第１フレームのみを導電性とすればよいため、コストの低減を図ることができる。【００１５】
本発明において、前記第１フレームと前記第２フレームとの間には、前記第２フレームを前記第１フレームに対して揺動可能に支持するヒンジ機構が構成されている態様を採用することができる。本発明において、前記回路基板には、電源回路と、前記媒体との間で行う通信の制御を行う制御回路と、前記回路基板の前記挿入口側の端部に搭載された発光素子と、前記発光素子を駆動する駆動回路と、が設けられている態様を採用することができる。かかる態様の場合には特に、回路基板に静電気の抑制回路を設けるスペースを確保することが困難であるが、このような場合でも、本発明によれば、静電気の影響を抑制することができる。
【図面の簡単な説明】
【００１６】
【図１】本発明の実施形態１に係るカードリーダを第２フレームの側からみた斜視図である。
【図２】図１に示すカードリーダを第１フレームの側からみた斜視図である。
【図３】図１に示すカードリーダにおいて第１フレームと第２フレームとの間を開放状態としたときの斜視図である。
【図４】図１に示すカードリーダの回路構成を示す説明図である。
【図５】図１に示すカードリーダに設けた静電対策用の導電板の説明図である。
【図６】図１に示すカードリーダにおける静電対策用の導電板のベゼルへの固定構造を挿入口の側からみた斜視図である。
【図７】図１に示すカードリーダにおける静電対策用の導電板のベゼルへの固定構造を挿入口とは反対側からみた斜視図である。
【図８】本発明の実施形態２に係るカードリーダにおいて第１フレームと第２フレームとの間を開放状態としたときの斜視図である。
【発明を実施するための形態】
【００１７】
図面を参照して、本発明を実施するための形態を説明する。なお、以下の説明においては、カード状の媒体（ＩＣカード、以下、単に「カード」という。）の搬送方向をＸ方向（第１方向）とし、Ｘ方向に対して直交する幅方向をＹ方向（第２方向）とし、Ｘ方向およびＸ方向に対して直交する高さ方向をＺ方向（第３方向）として説明する。本発明では、第１フレーム１および第２フレーム２のうちの一方のフレームに導電板９が固定された構造を有している。以下の説明では、第２フレーム２に導電板９が固定された態様を実施形態１として説明し、第１フレーム１に導電板９が固定された態様を実施形態２として説明する。
【００１８】
［実施形態１］
（全体構成）
図１は、本発明の実施形態１に係るカードリーダ１００を第２フレーム２の側からみた斜視図である。図２は、図１に示すカードリーダ１００を第１フレーム１の側からみた斜視図である。図３は、図１に示すカードリーダ１００において第１フレーム１と第２フレーム２との間を開放状態としたときの斜視図である。
【００１９】
図１、図２および図３に示すように、カードリーダ１００は、第１フレーム１と、第１フレーム１と重ねて配置された第２フレーム２とを有しており、第２フレーム２のＸ方向の一方側の端部２０には、カードＣ（カード状の媒体）が挿入される挿入口２１が構成されている。本形態において、挿入口２１は、第２フレーム２のＸ方向の一方側の端部２０に固定されたベゼル２１０に形成されており、ベゼル２１０は絶縁性の樹脂製である。
【００２０】
本形態では、後述する静電気を含めてＥＭＣ（Ｅｌｅｃｔｒｏ  Ｍａｇｎｅｔｉｃ  Ｃｏｍｐａｔｉｂｉｌｉｔｙ）対策の面から、第１フレーム１は導電性であり、第２フレーム２は絶縁性である。より具体的には、第１フレーム１は、樹脂内に導電性充填材が分散した導電性樹脂からなり、第２フレーム２は、導電性充填材が分散していない絶縁性樹脂からなる。
【００２１】
第１フレーム１と第２フレーム２との間には、挿入口２１からＸ方向に延在する媒体通路１０が構成されている。本形態において、第１フレーム１には、媒体通路１０の一方面を構成する第１隔壁板１８が設けられており、第１隔壁板１８の背面側（第１隔壁板１８に対して第２フレーム２とは反対側）に第１回路基板３が保持されている。また、第２フレーム２には、媒体通路１０の他方面を構成する第２隔壁板２８が設けられており、第２隔壁板２８の背面側（第２隔壁板２８に対して第１フレーム１とは反対側）に第２回路基板４が保持されている。従って、第１回路基板３と第２回路基板４との間に媒体通路１０が設けられた構造になっている。第１回路基板３と第２回路基板４とは、カードリーダ１００の側面に設けられたフレキシブル配線基板１２０によって電気的に接続されている。
【００２２】
第１フレーム１には、第１隔壁板１８の開口部から媒体通路１０に向けて露出した従動ローラ１５が設けられ、第２フレーム２には、第２隔壁板２８の開口部から媒体通路１０に向けて露出した駆動ローラ２５と、駆動ローラ２５を駆動するモーター（図示せず）と、モーターの回転を駆動ローラ２５に伝達する歯車伝達機構２６とが設けられている。従って、駆動ローラ２５、モーター、歯車伝達機構２６および従動ローラ１５は、挿入口２１から挿入されたカードＣを媒体通路１０においてカードリーダ１００の奥に向けて搬送するとともに、媒体通路１０からカードＣを挿入口２１に向けて排出するカード搬送機構を構成している。
【００２３】
本形態のカードリーダ１００において、第２フレーム２は、挿入口２１と反対側の端部に設けられた支軸１１５を利用したヒンジ機構１１０によって第１フレーム１に対して揺動可能に支持されている。このため、図１および図２に示すように第１フレーム１と第２フレーム２とを重ねた状態と、図３に示すように第１フレーム１と第２フレーム２との間を開放した状態とに切り換えることができる。
【００２４】
また、第１フレーム１には係合部１７が構成され、第２フレーム２には、係合部１７が係合して第１フレーム１と第２フレーム２とが重なった状態を維持する被係合部２７が構成されている。本形態において、係合部１７は、第２フレーム２に向けて柱状に突出した凸部からなり、被係合部２７は、係合部１７に形成された穴に嵌って係合する爪部からなる。
【００２５】
本形態において、係合部１７において挿入口２１が位置する前面側の側面１７１には、第１フレーム１と第２フレーム２とが重なった際、後述する導電板９の端部からなる接点部９５が当接する被当接面になっている。
【００２６】
（カードリーダ１００の詳細構成）
第２フレーム２には、光学式の位置検出器（図示せず）が保持されており、位置検出器は、第２隔壁板２８の開口部を介して媒体通路１０を進行するカードＣの位置を検出する。位置検出器は、第２回路基板４の媒体通路１０側の面に搭載されている。
【００２７】
第２フレーム２には、ピン状の接点６が保持されており、接点６は、第２隔壁板２８の開口部から媒体通路１０に向けて露出している。接点６は、カードＣのＩＣ端子（図示せず）に接する状態でカードＣとの間で接触通信により信号（情報）の送信または受信を行う通信装置に用いられている。接点６は、第２回路基板４の媒体通路１０側に設けられ、第２回路基板４と電気的に接続されている。
【００２８】
第２フレーム２の挿入口２１側の端部には発光素子７が保持されており、発光素子７は、カードリーダ１００の動作に連動して点滅する。従って、利用者は、挿入口２１から漏れてくる発光素子７の光によって、カードＣが移動中であること等を視認することができる。発光素子７は、第２回路基板４の挿入口２１側の端部において媒体通路１０側の面に搭載されている。
【００２９】
第２フレーム２の側において、第２回路基板４からはフレキシブル配線基板８が接続されており、フレキシブル配線基板８には、接点６とカードリーダ１００との間で接触通信を行うためのコネクタ８０が接続されている。
【００３０】
第１フレーム１には磁気ヘッド５が保持されており、磁気ヘッド５は、第１隔壁板１８の開口部から媒体通路１０に向けて露出している。磁気ヘッド５は、カードＣの磁気記録部分（図示せず）が接する状態でカードＣが移動した際、カードＣとの間で接触通信により信号（情報）の送信または受信を行う通信装置に用いられている。磁気ヘッド５は、第１回路基板３の媒体通路１０側に設けられ、第１回路基板３と電気的に接続されている。
【００３１】
本形態において、カードＣは、アンテナコイル等が埋設された非接触ＩＣカードとして構成されている。このため、第１フレーム１には、非接触通信用のアンテナ３０が保持されており、アンテナ３０は、カードＣとの間で非接触通信によって信号（情報）の送信または受信を行う通信装置に用いられている。本形態において、アンテナ３０は第１回路基板３に設けられている。
【００３２】
（カードリーダ１００の回路構成）
図４は、図１に示すカードリーダ１００の回路構成を示す説明図である。図４に示すように、カードリーダ１００に用いた第１回路基板３および第２回路基板４には以下の回路が構成されている。
【００３３】
図４に示すように、第２回路基板４には、カードリーダ１００全体の制御を行うメインの制御回路４１と、カードＣを搬送するためのモーターを駆動するモーター駆動回路４２と、各種電源を生成する電源回路４３と、コネクタ８０とは別のコネクタ（図示せず）を介してカードリーダ１００と上位の機器との間で情報の伝達を行う外部Ｉ／Ｆ回路４４とが構成されている。また、第２回路基板４には、接点６を介してカードＣと接触通信を行う際の制御を行う接触通信用制御回路４５、接点６を介して得たカードＣの情報に基づいてカードＣの認証を行うためのＳＡＭ回路４６、および発光素子７を駆動するためのＬＥＤ駆動回路４７が構成されている。
【００３４】
第１回路基板３には、非接触通信用のアンテナ３０が形成されているとともに、アンテナ３０を介してカードＣと非接触通信を行うアンテナ回路３１と、アンテナ３０を介して非接触通信を行う際に信号の変調または復調を行う非接触通信用制御回路３２とが形成されている。また、第１回路基板３には、磁気ヘッド５を介してカードＣと接触通信を行う際に信号の変調または復調を行う磁気復調回路３３、および光学式の位置検出器によってカードＣの位置を検出する位置検出回路３４が構成されている。
【００３５】
このように、本形態のカードリーダ１００では、カードＣと非接触通信を行うにあたって、非接触通信用の回路と非接触通信に使用されない回路とを１つの回路基板に混載してある。すなわち、非接触通信用のアンテナ３０、アンテナ回路３１、および非接触通信用制御回路３２が設けられた第１回路基板３に、非接触通信時に使用されない磁気復調回路３３や位置検出回路３４等が設けられ、第１回路基板３とは別の第２回路基板４には、非接触通信時に使用されるメインの制御回路４１が設けられている。このため、非接触通信を行うためのアンテナ３０、アンテナ回路３１、および非接触通信用制御回路３２を設けるのに第１回路基板３や第２回路基板４とは別の回路ブロックを設ける必要がない。それ故、アンテナ３０、アンテナ回路３１、および非接触通信用制御回路３２を追加できる空きスペースがない場合でも、非接触通信機能を比較的容易に設けることができる。
【００３６】
第１回路基板３は、アンテナ３０を構成する層を含む複数の層が積層された積層基板である。図２に示すように、第１回路基板３を媒体通路１０とは反対側からみたとき、アンテナ３０が形成されたアンテナ形成領域３６の色相と、アンテナ形成領域３６より外側の周辺領域の色相とが異なる。このため、アンテナ形成領域３６を視認しやすいので、カードリーダをＡＴＭ装置や非接触カードＩＣカード発行機等の上位の機器に搭載する際、上位の機器において、電磁誘導の影響を受けやすい部品をアンテナ形成領域３６に設けることを回避しやすい。本形態では、第１回路基板３の媒体通路１０と反対側の面には、アンテナ形成領域３６に対して、周辺領域の色相と異なる層３９が形成されている。本形態において、層３９は、第１回路基板３の媒体通路１０とは反対側の面にシルク印刷された塗膜層３９０である。
【００３７】
（静電気対策）
図５は、図１に示すカードリーダ１００に設けた静電対策用の導電板９の説明図であり、図５（ａ）、（ｂ）は各々、第１フレーム１と第２フレーム２との間を開放状態とした状態における導電板９の説明図、および第１フレーム１と第２フレーム２とを重ねた状態における導電板９の説明図である。図６は、図１に示すカードリーダ１００における静電対策用の導電板９のベゼル２１０への固定構造を挿入口２１の側からみた斜視図であり、図６（ａ）、（ｂ）は各々、導電板９をベゼル２１０に固定する前の状態を示す説明図、および導電板９をベゼル２１０に固定した後の状態を示す説明図である。図７は、図１に示すカードリーダ１００における静電対策用の導電板９のベゼル２１０への固定構造を挿入口２１とは反対側からみた斜視図であり、図７（ａ）、（ｂ）は各々、導電板９をベゼル２１０に固定する前の状態を示す説明図、および導電板９をベゼル２１０に固定した後の状態を示す説明図である。
【００３８】
本形態のカードリーダ１００において、カードＣを挿入口２１に挿入する際、手から放出された静電気が第２回路基板４に侵入すると、データの破損等の問題が発生する。従って、本形態では、図１、図２および図３に示すように、第２フレーム２は絶縁性とする一方、第１フレーム１を導電性としてある。また、第２フレーム２には、挿入口２１と第２回路基板４との間に配置された導電板９が固定され、導電板９は第１フレーム１に接している。本形態において、挿入口２１は、第２フレーム２の挿入口２１側の端部２０に固定された絶縁性のベゼル２１０に形成され、導電板９は、図５、図６および図７を参照して以下に説明するように、ネジ９９（図１参照）によってベゼル２１０に固定されている。このため、導電板９は、ベゼル２１０を介して第２フレーム２に固定されている。
【００３９】
図５、図６および図７に示すように、導電板９は、ベゼル２１０に固定された帯状の平板部９２と、平板部９２から後方（挿入口２１とは反対側）に延在するアーム部９３と、アーム部９３から下方（第１フレーム１の側）に折れ曲がった板バネ状の接点部９５とを有しており、接点部９５は、第１フレーム１と第２フレーム２とが重なった際に第１フレーム１に接する。
【００４０】
ベゼル２１０には、Ｚ方向に向く第１受け部２１１と、第１受け部２１１の挿入口２１側の端部で第１受け部２１１に直交する壁からなる第２受け部２１２とが設けられており、第１受け部２１１には、Ｙ方向で離間する２か所に、ネジ９９が止められる穴２１３が開口する筒部２１４が形成されている。また、２つの筒部２１４に対して外側で隣り合う位置には位置決め用の凸部２１６が形成されている。
【００４１】
これに対して、導電板９において、平板部９２は第２受け部２１２と重なるように形成されている。また、導電板９には、平板部９２とアーム部９３との間に、２つの筒部２１４の各々に重なる連結部９４が形成されており、連結部９４にはネジ９９を通す穴９４０が形成されている。また、アーム部９３の根元には、凸部２１６が嵌る位置決め用の穴９６が形成されている。従って、凸部２１６を穴９６に嵌めてベゼル２１０に導電板９を位置決めした後、ネジ９９によってベゼル２１０に導電板９を固定し、その後、第２フレーム２の端部２０にベゼル２１０を固定すれば、第２フレーム２に導電板９を固定することができる。
【００４２】
ここで、図３等を参照して説明したヒンジ機構１１０によって第１フレーム１に対して第２フレーム２を揺動させて、第１フレーム１と第２フレーム２との間を開放した状態では、導電板９の接点部９５と第１フレーム１とは離間しているが、第１フレーム１と第２フレーム２とを重ね、係合部１７を被係合部２７と係合させると、接点部９５は係合部１７に弾性をもって接する。本形態において、係合部１７は、第２フレーム２に向けて柱状に突出した凸部からなり、接点部９５は、係合部１７において挿入口２１側に向く側面１７１に弾性をもって接する。
【００４３】
（本形態の主な効果）
以上説明したように、本形態のカードリーダ１００においては、第１フレーム１を導電性とし、第２フレーム２を絶縁性とするとともに、第２フレーム２には、挿入口２１と第２回路基板４との間に、第１フレーム１に接する導電板９が固定されている。このため、カードＣを挿入する際、手から放電された静電気を、導電板９および第１フレーム１を介して逃がすことができる。より具体的には、第１フレーム１の側面において、係合部１７の近傍に形成された凸部１９を、ＡＴＭ装置や自動支払機等の上位の機器のシャーシ等に接続しておけば、手から放電された静電気を、導電板９および第１フレーム１を介して上位の機器のシャーシ等に逃がすことができる。従って、第２回路基板４に静電気の抑制回路を設けなくても、挿入口の側から侵入した静電気が回路基板に侵入することを抑制することができるので、静電気の影響を抑制することができる。また、第１フレーム１および第２フレーム２のうち、第１フレーム１のみを導電性とすればよいため、コストの低減を図ることができる。
【００４４】
特に本形態では、第２回路基板４に電源回路４３、制御回路４１、発光素子７、ＬＥＤ駆動回路４７等が搭載されているため、第２回路基板４に静電気の抑制回路を設けるスペースを確保することが困難であるが、このような場合でも、本形態によれば、静電気の影響を抑制することができる。また、本形態では、挿入口２１付近に発光素子７を設けたため、第２回路基板４を挿入口２１の付近まで設ける必要があるが、本形態によれば、このような場合でも、第２回路基板４への静電気の侵入を抑制することができる。
【００４５】
また、導電板９の接点部９５は、第１フレーム１と第２フレーム２とが重なった際に第１フレーム１に接する。このため、第２フレーム２に設けた導電板９を第１フレーム１に固定しておく必要がないので、メンテンス等の行う際、第１フレーム１と第２フレーム２とを離間させて第１フレーム１と第２フレーム２との間を開放状態とすることが容易である。それ故、メンテンス等が容易である。また、接点部９５は、第１フレーム１と第２フレーム２とが重なった際に弾性をもって第１フレーム１に接するため、導電板９を第１フレーム１に確実に接する状態とすることができる。
【００４６】
さらに、接点部９５は、第１フレーム１と第２フレーム２とが重なった際に第１フレーム１の係合部１７に弾性をもって接する。かかる係合部１７が形成されている個所は、第１フレーム１と第２フレーム２とが重なった際に、第１フレーム１と第２フレーム２とが確実に接近する部分であり、振動等が加わっても第１フレーム１と第２フレーム２とが離間しにくい個所である。従って、導電板９を第１フレーム１に確実に接する状態とすることができるとともに、導電板９と第１フレーム１とが接する状態を維持することができる。さらにまた、接点部９５は、第２フレーム２に向けて柱状に突出した係合部１７（凸部）の側面１７１に弾性をもって接するため、係合部１７と被係合部２７との間にＺ方向の多少の遊びがあっても、導電板９を第１フレーム１に確実に接する状態とすることができる。
【００４７】
［実施形態２］
図８は、本発明の実施形態２に係るカードリーダ１００において第１フレーム１と第２フレーム２との間を開放状態としたときの斜視図である。なお、本形態の基本的な構成は、実施形態１と同様であるため、共通する部分には同一の符号を付してそれらの説明を省略する。図８に示すように、本形態のカードリーダ１００も、実施形態１と同様、第１フレーム１と、第１フレーム１と重ねて配置された第２フレーム２とを有している。第１フレーム１は導電性であり、第２フレーム２は絶縁性である。より具体的には、第１フレーム１は、樹脂内に導電性充填材が分散した導電性樹脂からなり、第２フレーム２は、導電性充填材が分散していない絶縁性樹脂からなる。
【００４８】
本形態では、第１フレーム１のＸ方向の一方側の端部１１には、カードＣ（カード状の媒体）が挿入される挿入口２１が構成されている。挿入口２１は、第２フレーム２のＸ方向の一方側の端部１１に固定されたベゼル２１０に形成されており、ベゼル２１０は絶縁性の樹脂製である。
【００４９】
第１フレーム１と第２フレーム２との間には、挿入口２１からＸ方向に延在する媒体通路１０が構成されている。本形態において、第１フレーム１には、媒体通路１０の一方面を構成する第１隔壁板１８が設けられており、第１隔壁板１８の背面側（第１隔壁板１８に対して第２フレーム２とは反対側）に第１回路基板（図示せず）が保持されている。第２フレーム２には、媒体通路１０の他方面を構成する第２隔壁板（図示せず）が設けられており、第２隔壁板の背面側（第２隔壁板に対して第１フレーム１とは反対側）に第２回路基板４が保持されている。従って、第１回路基板３と第２回路基板４との間に媒体通路１０が設けられた構造になっている。このように構成したカードリーダ１００においても、実施形態１と同様、挿入口２１から挿入されたカードＣは、媒体通路１０においてカードリーダ１００の奥に向けて搬送されるとともに、媒体通路１０からカードＣを挿入口２１に向けて排出される。
【００５０】
第２フレーム２は、挿入口２１と反対側の端部に設けられた支軸１１５を利用したヒンジ機構１１０によって第１フレーム１に対して揺動可能に支持されている。このため、第１フレーム１と第２フレーム２とを重ねた状態と、第１フレーム１と第２フレーム２との間を開放した状態とに切り換えることができる。また、第１フレーム１には係合部１７が構成され、第２フレーム２には、係合部１７が係合して第１フレーム１と第２フレーム２とが重なった状態を維持する被係合部２７が構成されている。係合部１７は、第２フレーム２に向けて柱状に突出した凸部からなり、被係合部２７は、係合部１７に形成された穴に嵌って係合する爪部からなる。
【００５１】
第１フレーム２には、挿入口２１と第２回路基板４との間に配置された導電板９が固定され、導電板９は第１フレーム１に接している。本形態において、挿入口２１は、第２フレーム２の挿入口２１側の端部２０に固定された絶縁性のベゼル２１０に形成され、導電板９は、ネジ９９によってベゼル２１０に固定されている。このため、導電板９は、ベゼル２１０を介して第１フレーム２に固定されている。
【００５２】
導電板９は、実施形態１と同様、ベゼル２１０に固定された帯状の平板部９２と、平板部９２から後方（挿入口２１とは反対側）に延在するアーム部９３と、アーム部９３から下方（第１フレーム１の側）に折れ曲がった板バネ状の接点部９５とを有しており、接点部９５は、第１フレーム１の係合部１７に接している。
【００５３】
実施形態１と同様、ベゼル２１０には、Ｚ方向に向く第１受け部２１１と、第１受け部２１１の挿入口２１側の端部で第１受け部２１１に直交する壁からなる第２受け部２１２とが設けられており、第１受け部２１１には、Ｙ方向で離間する２か所に、ネジ９９が止められている。また、ネジ９９が止められている個所に対して外側で隣り合う位置には位置決め用の凸部２１６が形成されている。
【００５４】
導電板９において、平板部９２は第２受け部２１２と重なるように形成されている。また、導電板９には、平板部９２とアーム部９３との間に連結部９４が形成されており、アーム部９３の根元には、ベゼル２１０の凸部２１６が嵌る位置決め用の穴９６が形成されている。従って、凸部２１６を穴９６に嵌めてベゼル２１０に導電板９を位置決めした後、ネジ９９によってベゼル２１０に導電板９を固定し、その後、第１フレーム１の端部１１にベゼル２１０を固定すれば、第１フレーム１に導電板９を固定することができ、導電板９の接点部９５は、第１フレーム１の係合部１７に弾性をもって接する状態となる。
【００５５】
このように構成したカードリーダ１００においては、第１フレーム１を導電性とし、第２フレーム２を絶縁性とするとともに、挿入口２１と第２回路基板４との間に配置された導電板９が第１フレーム１に接するように第１フレーム１に固定されている。このため、カードＣを挿入する際、手から放電された静電気を、導電板９および第１フレーム１を介して逃がすことができる等、実施形態１と同様な効果を奏する。
【産業上の利用可能性】
【００５６】
本発明に係るカードリーダにおいて、第１フレームおよび第２フレームのうちの一方のフレームには、挿入口と回路基板との間に配置された導電板が固定され、導電板は導電性の第１フレームに接している。このため、媒体を挿入する際、手から放電された静電気を、導電板を介して第１フレームを介して逃がすことができる。従って、回路基板に静電気の抑制回路を設けなくても、挿入口の側から侵入した静電気が回路基板に侵入することを抑制することができるので、静電気の影響を抑制することができる。また、第１フレームおよび第２フレームのうち、第１フレームのみを導電性とすればよいため、コストの低減を図ることができる。
【図１】
2018003794.tif 000003
【図２】
2018003794.tif 000004
【図３】
2018003794.tif 000005
【図４】
2018003794.tif 000006
【図５】
2018003794.tif 000007
【図６】
2018003794.tif 000008
【図７】
2018003794.tif 000009
【図８】
2018003794.tif 000010
【国際調査報告】
2018003794.tif 000011
2018003794.tif 000012